(57)【特許請求の範囲】
【請求項１】
ＲＧＢデータ入稿による印刷物の色の状態を確認する印刷色確認システムであって、
ＲＧＢデータを印刷用のＣＭＹＫデータに変換するＲＧＢ→ＣＭＹＫ変換の方法を設定するＲＧＢ→ＣＭＹＫ変換情報設定手段、
前記変換情報設定手段によって設定されたＲＧＢ→ＣＭＹＫ変換情報を記憶するＲＧＢ→ＣＭＹＫ変換情報記憶手段、
シミュレーション出力作成に必要なシミュレーション出力機の特性と、印刷の特性を設定するシミュレーション出力情報設定手段、
前記シミュレーション出力情報設定手段で設定されたシミュレーション出力情報を記憶するシミュレーション出力情報記憶手段、
ＲＧＢデータをシステムに入力するＲＧＢデータ入力手段、
前記ＲＧＢ→ＣＭＹＫ変換情報記憶手段に記憶されたＲＧＢ→ＣＭＹＫ変換情報に従ってＲＧＢデータを印刷用ＣＭＹＫデータに変換するＲＧＢ→ＣＭＹＫ変換実行手段、
シミュレーション出力情報記憶手段に記憶された情報に基づいて、前記ＲＧＢ→ＣＭＹＫ変換実行手段により得られた印刷用ＣＭＹＫデータをシミュレーション出力用データに変換する印刷色シミュレーションデータ作成手段、
前記印刷色シミュレーションデータ作成手段で得られたデータを出力するシミュレーション出力手段、
とを具え、
前記シミュレーション出力情報設定手段で設定される印刷の特性には、前記ＲＧＢ→ＣＭＹＫ変換情報におけるＣＭＹＫの色特性が使用されることを特徴とする印刷色確認システム。
【請求項２】
前記シミュレーション出力情報設定手段で設定されるシミュレーション出力機の特性は、シミュレーション出力情報記憶手段にあらかじめ記憶されているシミュレーション出力情報を使用することを特徴とする請求項１に記載の印刷色確認システム。
【請求項３】
前記シミュレーション出力情報設定手段が、印刷の特性に前記ＲＧＢ→ＣＭＹＫ変換情報におけるＣＭＹＫの色特性を使用して設定し、シミュレーション出力機の特性としてあらかじめ記憶されているシミュレーション出力情報を使用して設定することを特徴とする請求項１に記載の印刷色確認システム。
【請求項４】
前記変換情報設定手段に、印刷の際に実際に行われる変換方法の変換情報が設定されていることを特徴とする請求項１乃至３の何れかに記載の印刷色確認システム。
【請求項５】
前記変換情報設定手段は複数のＲＧＢ→ＣＭＹＫ変換が登録可能であり、登録された複数変換情報の中から実際に使用する変換情報を選択する変換情報選択手段を有することを特徴とする請求項１乃至４の何れかに記載の印刷色確認システム。
【請求項６】
前記シミュレーション出力情報設定手段は複数のシミュレーション出力情報が登録可能であり、登録されたシミュレーション出力情報の中から実際に使用するシミュレーション出力を選択するシミュレーション出力選択手段を有することを特徴とする請求項１乃至５の何れかに記載の印刷色確認システム。
【請求項７】
前記ＲＧＢ→ＣＭＹＫ変換実行手段により生成される印刷用ＣＭＹＫデータを外部に出力する印刷用ＣＭＹＫデータ出力手段を有することを特徴とする請求項１乃至６の何れかに記載の印刷色確認システム。
【発明の詳細な説明】
【０００１】
【発明の属する技術分野】
本発明は、デジタルカメラで撮影した画像やコンピュータ上で作成した画像、イラスト、CGなどのRGBデータを印刷の原稿として用いる際に、最終的な印刷の仕上がりの色を確認するためのシステムに関し、また、このシステムを用いてRGBデータから、データの入稿者もしくは作成者の意図する色の再現を可能としたカラー印刷物を作成する方法に関する。
【０００２】
【従来の技術】
近年、カラー印刷物を作成する際に、従来のカラー原稿（リバーサルフィルム、写真プリント等）に代わってデジタルデータを入稿するいわゆるデータ入稿が増加している。
【０００３】
本来印刷で用いられるデータがCMYKデータであるのに対して、デジタルカメラで撮影された画像や、デザイナーが作成したCG（コンピュータグラフィックス）、イラスト等はRGBデータで記述され、入稿者（デザイナー、CGクリエーター、デジタルフォトグラファー等）はRGBデータをCRT等のモニタ上もしくは入稿者が所有しているプリンタ等の出力機から出力して色の確認を行いながら、修正・デザインしている。
【０００４】
データ入稿の方法には、MOやCD等のリムーバブルメディアにデータを格納し、メディア自体を受け渡す方法と、インターネットなどのネットワークインフラストラクチャを利用してデータを転送する方法とがある。
【０００５】
後者の方法を用いることにより、物流の減少と、工程の短縮が見込まれることからもデータ入稿に対する要望は高まっている。
【０００６】
データ入稿によりカラー印刷物を作成する際には、そのデータに対する入稿者の意図すなわち、そのデータから作成される最終カラー印刷物がどのような色に仕上がってほしいのかを、印刷会社に伝える必要がある。
【０００７】
入稿者が意図した色を印刷会社に伝達する方法の一つとして、RGBデータを入稿者の持つプリンタ等で出力したハードコピーを色見本として添付し、その色見本を印刷の目標色とすることが一般的となっている。
【０００８】
RGBデータと出力物を受け取った印刷会社では、データを印刷に使用可能なCMYKに変換し、添付された色見本に最終印刷の結果が合うように、データの修正を行う。
【０００９】
入稿者が意図した色を印刷会社に伝達するもう一つの方法として、測色値との関係が定義されたRGB色空間（sRGB空間等）を用いる方法がある。
【００１０】
例えばsRGBを共通のRGB空間として用いる方法では、入稿者はsRGBを表示可能なCRT等のモニタもしくはsRGBの色を再現するようにプリンタ等の出力機から出力したハードコピーを用いて色の確認を行い、RGBデータを印刷会社に入稿する。
【００１１】
この際、RGBデータはsRGBデータとして扱う旨を印刷会社に伝えれば、印刷会社では受け取ったRGBデータをsRGBとして扱い、その色を再現するように印刷可能なCMYKデータに変換する。
【００１２】
【発明が解決しようとする課題】
ところで、従来技術であげた第一の方法（RGBデータと色見本を入稿して、色見本により入稿者の望む色を印刷会社に伝達する方法）では、色見本の出力方法や条件は、入稿者毎または入稿者のプリンタ毎に異なっており、その詳細は印刷会社からは不明なことが多い。
【００１３】
印刷会社では何らかの変換により、受け取ったRGBデータを印刷可能なCMYKデータに変換するが、最終印刷物が入稿者から渡された色見本の色に合うようにするためには、変換後のデータを画像修正アプリケーションなどを用いて大幅に修正する必要があり、修正作業に大きな負荷がかかるという問題がある。
【００１４】
また、色見本を出力したプリンタ等の出力機は、最終的な印刷とは異なる色域を持つことが多く、そのため色見本中には最終的な印刷で再現できない色（色域外の色）が含まれていることがある。
【００１５】
かかる場合、色域外の色は印刷で再現可能な色に置き換えられて再現される（一般に色域圧縮と呼ばれる）こととなり、最終的に作成されるカラー印刷物が入稿者の意図とは異なる物となってしまうという問題があった。
【００１６】
そのため場合によっては一旦校正刷等を作成し、入稿者に対して送付し、印刷仕上がりの色を再確認する作業が必要になることがある。
【００１７】
この方法では、入稿者が出力した色見本を印刷会社へ送付する必要があったり、前述したような校正刷のやりとりが必要になったりするため、データ自体をネットワークで電送することにより得られるメリット（物流の減少）を享受することもできなくなる。
【００１８】
また、第二の方法（共通のRGB空間を用いる方法）では、入稿者と印刷会社がRGBデータを同じ定義の下で扱うため、入稿者が確認している出力物と、最終印刷物が一致するように思われる。
【００１９】
しかしながら、定義されたRGB空間の色域が、最終印刷の色域よりも広かった場合、前述のように色域圧縮の問題が発生し、入稿者の意図したカラー印刷物が作成されない可能性があった。
【００２０】
このため、第二の方法でも第一の方法同様に、場合によっては校正刷等を作成し、入稿者に対して送付し、印刷仕上がりの色を再確認する作業が必要になることがある。
【００２１】
【課題を解決するための手段】
本発明は上述した現状の課題を解決すべくなされたものであり、入稿者がRGBデータを入稿する際に最終的な印刷の仕上がりの色を確認することを可能にするシステムを提供し、RGBデータからデータの入稿者の意図する色再現を持ったカラー印刷物を作成する方法を提供するものである。
【００２２】
具体的には、請求項１に記載の発明は、ＲＧＢデータ入稿による印刷物の色の状態を確認する印刷色確認システムであって、ＲＧＢデータを印刷用のＣＭＹＫデータに変換するＲＧＢ→ＣＭＹＫ変換の方法を設定するＲＧＢ→ＣＭＹＫ変換情報設定手段、前記変換情報設定手段によって設定されたＲＧＢ→ＣＭＹＫ変換情報を記憶するＲＧＢ→ＣＭＹＫ変換情報記憶手段、シミュレーション出力作成に必要なシミュレーション出力機の特性と、印刷の特性を設定するシミュレーション出力情報設定手段、前記シミュレーション出力情報設定手段で設定されたシミュレーション出力情報を記憶するシミュレーション出力情報記憶手段、ＲＧＢデータをシステムに入力するＲＧＢデータ入力手段、前記ＲＧＢ→ＣＭＹＫ変換情報記憶手段に記憶されたＲＧＢ→ＣＭＹＫ変換情報に従ってＲＧＢデータを印刷用ＣＭＹＫデータに変換するＲＧＢ→ＣＭＹＫ変換実行手段、シミュレーション出力情報記憶手段に記憶された情報に基づいて、前記ＲＧＢ→ＣＭＹＫ変換実行手段により得られた印刷用ＣＭＹＫデータをシミュレーション出力用データに変換する印刷色シミュレーションデータ作成手段、前記印刷色シミュレーションデータ作成手段で得られたデータを出力するシミュレーション出力手段、とを具え、前記シミュレーション出力情報設定手段で設定される印刷の特性には、前記ＲＧＢ→ＣＭＹＫ変換情報におけるＣＭＹＫの色特性が使用されることを特徴とする印刷色確認システムを提供するものである。
【００２３】
この発明によれば、変換情報設定手段に実際に印刷を行う際のRGB→CMYK変換情報を適切に設定すれば、RGBデータの入稿者もしくは作成者は、このシステムを通してRGBデータをシステムに具えられたシミュレーション出力手段に出力することにより、最終的な印刷物の仕上がりの色を確認することができる。
【００２５】
また、請求項２に記載の発明は、前記シミュレーション出力情報設定手段で設定されるシミュレーション出力機の特性は、シミュレーション出力情報記憶手段にあらかじめ記憶されているシミュレーション出力情報を使用することを特徴とする請求項１に記載の印刷色確認システムを提供するものである。
【００２６】
また、請求項３に記載の発明は、前記シミュレーション出力情報設定手段が、印刷の特性に前記ＲＧＢ→ＣＭＹＫ変換情報におけるＣＭＹＫの色特性を使用して設定し、シミュレーション出力機の特性としてあらかじめ記憶されているシミュレーション出力情報を使用して設定することを特徴とする請求項１に記載の印刷色確認システムを提供するものである。
【００２７】
この発明によれば、シミュレーション出力情報を設定する作業が実質的に省略可能であり、本発明のシステムを使用する際の作業を簡易化する事ができる。
【００２８】
また、請求項４に記載の発明は、前記変換情報設定手段に、印刷の際に実際に行われる変換方法の変換情報が設定されていることを特徴とする請求項１乃至３の何れかに記載の印刷色確認システムを提供するものである。
【００２９】
この発明によれば、RGBデータの入稿者もしくは作成者は、RGB→CMYK変換の設定を行うことなく、簡便に印刷物の仕上がりの色を確認することができる。
【００３０】
また、請求項５に記載の発明は、前記変換情報設定手段は複数のＲＧＢ→ＣＭＹＫ変換が登録可能であり、登録された複数変換情報の中から実際に使用する変換情報を選択する変換情報選択手段を有することを特徴とする請求項１乃至４の何れかに記載の印刷色確認システムを提供するものである。
【００３１】
この発明によれば、請求項１乃至４のシステムで実現される印刷仕上がり色確認に加え、例えば画像の種類（自然画、人物、ＣＧ、イラスト等）によって異なるＲＧＢ→ＣＭＹＫ変換を選択することが可能となる。
【００３３】
また、請求項６に記載の発明は、前記シミュレーション出力情報設定手段は複数のシミュレーション出力情報が登録可能であり、登録されたシミュレーション出力情報の中から実際に使用するシミュレーション出力を選択するシミュレーション出力選択手段を有することを特徴とする請求項１乃至５の何れかに記載の印刷色確認システムを提供するものである。
【００３４】
この発明によれば、最終印刷の種類が複数あったり、あるいは、シミュレーション出力機が複数有ったりする場合、それぞれの組み合わせについて設定を登録することが可能となる。
【００３５】
また、請求項７に記載の発明は、前記ＲＧＢ→ＣＭＹＫ変換実行手段により生成される印刷用ＣＭＹＫデータを外部に出力する印刷用ＣＭＹＫデータ出力手段を有することを特徴とする請求項１乃至６の何れかに記載の印刷色確認システムを提供するものである。
【００３６】
この発明によれば、このシステムを印刷工程で用いることにより、同システムもしくは請求項１乃至６の何れかに記載のシステムを用いて色確認されたＲＧＢデータの入稿に対して、システムから出力されるシミュレーション出力を印刷色見本とし、前記印刷用ＣＭＹＫデータ出力手段から出力される印刷用ＣＭＹＫデータを製版データとして使用し、カラー印刷の色あわせを容易に行うことができる。
【００３７】
また、本発明によれば、データ入稿者に対して、ＲＧＢデータを印刷工程に入稿する前に、請求項１乃至７の何れかに記載の印刷色確認システムの出力手段による出力結果を提示し確認を促す事を特徴とする印刷色確認方法を提供することができる。
【００３８】
この発明によれば、データ入稿者と、印刷会社で出力される色見本の色が一致し、かつ、印刷の仕上がりの色を再現しているため、入稿者が意図した色通りにカラー印刷物を作成することができる。
【００３９】
また、この方法を用いる際に、データ入稿をネットワークを介して転送すれば、色見本、校正刷等の入稿者への確認のための物流を完全に排除でき、印刷物完成までの時間が短縮できることが期待される。
【００４０】
また、確認の結果、入稿者の意図に外れた場合であっても、やり直し等も容易に行える。
【００４１】
なお、ここで言う入稿者とは、印刷品質の確認を行う権限を持つ者であり、原稿や印刷物の種類により、写真集等ではカメラマン自身であったり、その他、性質により広告主、デザイナー等であったりするが、一般的には編集者であり、簡易な場合は印刷会社の営業担当である場合や、他の場合もある。
【００４２】
また、本発明によれば、印刷工程に対して、ＲＧＢデータを印刷工程に入稿する前に、請求項１乃至９の何れかに記載の印刷色確認システムの出力手段による出力結果を提示し確認を促す事を特徴とする印刷色確認方法を提供することができる。
【００４３】
この発明によれば、印刷会社等の印刷工程で出力される色見本等の色が一致し、かつ、印刷の仕上がりの色を再現しているため、色見本等の色通りにカラー印刷物を作成することができる。
【００４４】
また、この方法を用いる際に、データ入稿をネットワークを介して転送すれば、色見本、校正刷等の物流を完全に排除でき、印刷物完成までの時間が短縮できることが期待されるため、安心してこの印刷色確認方法による確認結果により得られたデータにより変換を行うことが可能になり、そのデータを印刷に用いる事が可能になる。
【００４５】
また、確認の結果、色見本等からみて不適合と判断された場合であっても、やり直し等も容易に行える。
【００４６】
【発明の実施の形態】
以下、図１〜図１０を用いて説明する。
【００４７】
図１は本発明にかかる印刷色確認システムの構成の一例を示すブロック図である。
【００４８】
図１で１はモニタ等の表示装置、２は入出力インターフェース、３はCPU、４はメモリ、５はスキャナ、デジタルカメラ等の画像入力装置、６はキーボード等の入力装置、７は外部記憶装置、８は出力装置、９はネットワーク回線である。
【００４９】
キーボード等の入力装置６は、ユーザが、RGB→CMYK変換情報を設定することにより変換手法を設定したり、シミュレーション出力情報を設定したり、あるいは、変換対象となるRGBデータを入力したりするために使用するものである。
【００５０】
CPU３はソフトウェアの働きに基づいて各装置を制御するとともに、下記の処理を行う。
【００５１】
▲１▼  RGB→CMYK変換の方法を設定する変換情報設定手段からの入力に基づいて、RGB→CMYK変換情報を記憶手段に書き出し、また情報を管理する。
【００５２】
▲２▼  シミュレーション出力情報設定手段からの入力に基づいて、シミュレーション出力情報を記憶手段に書き出し、また情報を管理する。
【００５３】
▲３▼  ▲１▼で記録された情報をもとに、RGBデータ入力手段から入力されたRGBデータを印刷用CMYKデータに変換する。
【００５４】
▲４▼  ▲２▼で記録された情報をもとに、▲３▼で変換された印刷用CMYKデータをシミュレーション出力用データに変換する。
【００５５】
メモリ４は、例えばユーザによる入力を一時的に保持したりする他、CPUの処理に必要となる各種情報を一時的に保持したりするために好適に使用できる。
【００５６】
モニタ１は、ユーザが本装置を使用する上で必要な情報を表示させたり、また、ユーザーに入力等の指示を与えるため、等に好適に使用できる。
【００５７】
出力装置８は、CPUの処理により作成されるシミュレーション出力用データを出力するために使用されるものである。
【００５８】
画像入力装置５は、RGBデータ入力手段の一部として、システムにRGBデータを供給するために使用されるものである。
【００５９】
外部記憶装置７は、RGB→CMYK変換情報、シミュレーション出力情報を記録するほか、システムに供給するRGBデータを保持する、等に好適に使用できる。
【００６０】
ネットワーク９は、RGBデータをネットワークを介して供給するあるいは、RGB→CMYK変換情報、シミュレーション出力情報に記録される各種データをネットワークを介して供給することが可能となるように設けられている。
【００６１】
次に本発明にかかる、印刷物が最終印刷物の場合の実施形態の処理の例を、図２〜図８のフローチャートに基づいて説明する。
【００６２】
これらの例では、システムを機能の観点から大きく三つに分けている。
【００６３】
一つは、対象となるRGBデータを印刷用のCMYKデータに変換する方法を設定するRGB→CMYK変換情報設定機能の一種のRGB→CMYK変換手法設定機能である。
【００６４】
もう一つは、シミュレーション出力作成に必要なシミュレーション出力機の特性と、最終印刷の特性を設定するシミュレーション出力情報設定機能である。
【００６５】
ここでシミュレーション出力とは、最終的に印刷機で印刷される色を、他の出力機で再現して出力することを表している。
【００６６】
最後の一つは、システムに入力されたRGBデータを変換し、印刷の色を確認するために必要な印刷シミュレーション出力物を出力する、印刷シミュレーション出力機能である。
【００６７】
なお、前者二つの機能は、必ずしも印刷色確認の作業を行う際に毎回行う必要のあるものではないため、フローチャートについても個別に説明する。
【００６８】
これらの例では、RGB→CMYK変換情報として図９に示すようなデータ構造を使用している。
【００６９】
すなわち、RGB→CMYK変換情報は、変換情報に名称をつけるための変換情報名称、RGBデータの色情報を記述するRGBプロファイル、最終印刷の色情報を記述する印刷プロファイルを含んでいる。
【００７０】
ここでプロファイルとは、RGB、CMYK等のデバイス信号値と、CIELAB、CIEXYZ等の色彩値を相互に変換するために必要な情報が含まれるデータファイルまたはパラメータである。
【００７１】
プロファイルの代表的な例として、ICCプロファイルがあり、本例でもICCプロファイルを用いて説明するが、本発明で使用するプロファイルはICCプロファイルに限定されるものではない。
【００７２】
また、RGB→CMYK変換情報にはプロファイル名やファイルパスなどプロファイルの実体にアクセスするための情報のみを記録し、変換に必要なデータ自体は、他の記憶装置、もしくはネットワーク上に存在していてもかまわない。
【００７３】
RGB→CMYK変換情報のRGBデータの色情報に、入稿者がCRT等のモニタ上でRGBデータを観察している際のRGB色情報を設定することも好適である。
【００７４】
これによれば、入稿者がモニタ上で観察している色をなるべく保持しつつ、印刷の仕上がりの色を反映したシミュレーション出力が得られるため、入稿者がモニタを見ながらRGBデータを修正する作業が比較的容易になるという利点がある。
【００７５】
次に、RGB→CMYK変換情報設定機能について、図２のフローチャートを用いて説明する。
【００７６】
RGB→CMYK変換情報の入力（フローチャートの１００）
RGB→CMYK変換情報の各項目について、必要なデータをキーボード等の入力装置６から入力する。
【００７７】
各項目の入力については、ユーザが直接入力するか、もしくはメニュー等をモニタ１上に表示しその中から選択してもよい。
【００７８】
なお、データは直接入力する他に、外部記憶装置、またはネットワーク回線を介して取得することも可能とする。
【００７９】
RGB→CMYK変換情報の記録（フローチャートの１０１）
入力されたRGB→CMYK変換情報を外部記憶装置７に記録する。
【００８０】
上記RGB→CMYK変換情報設定機能は任意のタイミングで呼び出すことが可能であり、この機能を繰り返し用いることにより、複数のRGB→CMYK変換情報を登録することが可能である。
【００８１】
図３のフローチャートは、この実施例で示したRGB→CMYK変換情報のデータ構造を用いる場合の、上記RGB→CMYK変換情報設定機能に関わるより詳細なフローを示すものである。
【００８２】
次にシミュレーション出力情報設定機能について、図４のフローチャートを用いて説明する。
【００８３】
これらの例ではシミュレーション出力情報として図１０に示すようなデータ構造を使用している。
【００８４】
すなわち、シミュレーション出力情報は、印刷プロファイル、シミュレーション出力機プロファイルを含んでいる。
【００８５】
ここでも例の中ではプロファイルとしてICCプロファイルを用いて説明するが、本発明で使用されるプロファイルはICCプロファイルに限定されるべきものではない。
【００８６】
また、RGB→CMYK変換情報にはプロファイル名やファイルパスなどプロファイルの実体にアクセスするための情報のみを記録し、変換に必要なデータ自体は、他の記憶装置、もしくはネットワーク上に存在していてもかまわない。
【００８７】
また、本実施例で示したRGB→CMYK変換情報、シミュレーション出力情報のデータ構造を用いる場合には、RGB→CMYK変換情報が持つ印刷プロファイルと、シミュレーション出力情報が持つ印刷プロファイルは同一のものでもよい。
【００８８】
シミュレーション出力情報の入力（フローチャートの１１０）
シミュレーション出力情報の各項目について、必要なデータをキーボード等の入力装置６から入力する。
【００８９】
各項目の入力については、ユーザが直接入力するか、もしくはメニュー等をモニタ１上に表示しその中から選択してもよい。
【００９０】
なお、データは直接入力する他に、外部記憶装置、またはネットワーク回線を介して取得することも可能とする。
【００９１】
シミュレーション出力情報の記録（フローチャートの１１１）
入力されたシミュレーション出力情報を外部記憶装置７に記録する。
【００９２】
上記シミュレーション出力情報設定機能は任意のタイミングで呼び出すことが可能であり、この機能を繰り返し用いることにより、複数のシミュレーション出力情報を登録することが可能である。
【００９３】
図５のフローチャートは、この実施例で示したシミュレーション出力情報のデータ構造を用いる場合の、上記シミュレーション出力情報設定機能に関わるより詳細なフローを示すものである。
【００９４】
次に印刷シミュレーション出力機能について、図６のフローチャートを用いて説明する。
【００９５】
RGBデータ入力（フローチャートの１２０）
変換対象となるRGBデータをシステムに入力する。
【００９６】
変換対象となるRGBデータは外部記憶装置もしくはネットワーク回線を介して与えられるか、画像入力機器５により与えられる。
【００９７】
RGB→CMYK変換情報選択（フローチャートの１２１）
RGB→CMYK変換情報の中から、使用する変換を選択する。
【００９８】
選択に際しては、RGB→CMYK情報に記録された複数の変換情報名称をモニタ１上にメニューとして表示し、その中から最も要求に適合する変換手法を示す変換情報を持つ変換情報名称を選択する。
【００９９】
RGB→CMYK変換実行（フローチャートの１２２）
フローチャートの１２１で選択されたRGB→CMYK変換情報に基づいて、システムに入力されたRGBデータを印刷用のCMYKに変換する。
【０１００】
ここで生成されたCMYKデータを印刷に使用する、すなわちここで得られたCMYKデータから製版をする場合には、CMYKデータを外部記憶装置もしくはネットワーク回線を介して出力する。
【０１０１】
シミュレーション出力選択（フローチャートの１２３）
シミュレーション出力情報の中から、使用する情報を選択する。
【０１０２】
選択に際しては、シミュレーション出力機や最終印刷の情報をモニタ１上に表示して選択してもよい。
【０１０３】
シミュレーション出力用変換（フローチャートの１２４）
シミュレーション出力情報に基づいて、上記RGB→CMYK変換で得られた印刷用CMYKデータを、シミュレーション出力機用のデータに変換する。
【０１０４】
シミュレーション出力（フローチャートの１２５）
上記シミュレーション出力用変換によって得られたシミュレーション出力機用データを、シミュレーション出力機から出力する。
【０１０５】
本実施例におけるシミュレーション出力機としては、インクジェットプリンタ、電子写真プリンタ、昇華転写型プリンタ、網点型DDCP等が好適であるが、本発明においてはその出力方式を限定するものではない。
【０１０６】
また、出力機として上記ハードコピーの出力が可能なデバイスに替えて、CRT、液晶ディスプレイ等の表示デバイス上で、ソフトコピーとして出力しても良い。
【０１０７】
（フローチャートの１２５）
図７のフローチャートは、本実施例におけるRGB→CMYK変換情報を用いる際の、上記RGB→CMYK変換実行に関わるより詳細なフローを示すものである。
【０１０８】
図８のフローチャートは、本発明のシステムを用いてRGBデータ入稿からカラー印刷物を作成するフローを詳細に示したものである。
【０１０９】
以下では、本発明について補足説明する。
【０１１０】
本発明の主旨を逸脱しない範囲で、下記に例示するより具体的なバリエーションも適宜採用可能である。
【０１１１】
（１）RGB→CMYK変換情報には、実施例であげたプロファイルを用いる以外にも、RGBからCMYKへの変換を決定づけるのに十分な情報、例えば、製版スキャナの内部等で用いられるCMYK分解カーブなどの情報を用いても良い。
【０１１２】
（２）RGB→CMYK変換情報には、変換に必要なパラメータのみではなく、実際の変換を行うプログラムをモジュールとして設定しても良い。
【０１１３】
（３）この様なRGBデータは、デジタルカメラ等の画像入力機器で取得したRGBデータ、ならびにコンピュータ上で作成、編集したRGBデータなどが好ましいが、カラー印刷物の原稿として利用する際に、最終的な印刷物の色の状態を確認できるものであればどの様なものでも構わない。
【０１１４】
【発明の効果】
以上説明したように、本発明によれば、RGBデータから印刷物の仕上がりの色を簡便に確認することができる。
【０１１５】
従って、本発明により、RGBデータ入稿で従来問題となっていた入稿者の意図した色の印刷物が作成されないといった問題を回避してカラー印刷物を作成することができるようになる。
【図面の簡単な説明】
【図１】本発明の印刷色確認システムの一例を示すブロック図である。
【図２】本発明の処理を示すフローチャートである。
【図３】本発明の処理を示すフローチャートである。
【図４】本発明の処理を示すフローチャートである。
【図５】本発明の処理を示すフローチャートである。
【図６】本発明の処理を示すフローチャートである。
【図７】本発明の処理を示すフローチャートである。
【図８】本発明の処理を示すフローチャートである。
【図９】実施例であげた印刷色確認システムが必要とするデータ構造の説明図である。
【図１０】実施例であげた印刷色確認システムが必要とするデータ構造の説明図である。
【符号の説明】
１・・・モニタ
２・・・入出力インターフェース
３・・・CPU
４・・・メモリ
５・・・画像入力装置
６・・・キーボードなどの入力装置
７・・・外部記憶装置
８・・・出力装置
９・・・ネットワーク回線
【図１】
0003960114.tif 000002
【図２】
0003960114.tif 000003
【図３】
0003960114.tif 000004
【図４】
0003960114.tif 000005
【図５】
0003960114.tif 000006
【図６】
0003960114.tif 000007
【図７】
0003960114.tif 000008
【図８】
0003960114.tif 000009
【図９】
0003960114.tif 000010
【図１０】
0003960114.tif 000011